(57)【要約】【課題】点検・整備を十分に行うことができ、かつ省スペース化を実現可能な整圧設備を提供すること。【解決手段】  上流側からのガスの圧力を調整して下流側に供給するために用いられる整圧設備において、当該整圧設備を、整圧に必要な各種装置と、前記各種装置を収納可能な収納ボックスと、から構成し、当該収納ボックスには少なくともその２面以上に扉を設け、かつ、必要に応じて前記各種装置から着脱可能とし、前記各種装置を点検・整備する際にあっては、収納ボックス内に人が入ることなく、前記収納ボックスに設けられた扉を開口することにより、もしくは、収納ボックスを取り外すことにより、点検・整備を可能とする。【選択図】図２
2008039062.tif 000002
【特許請求の範囲】
【請求項１】
上流側からのガスの圧力を調整して下流側に供給するために用いられる整圧設備であって、
当該整圧設備は、整圧に必要な各種装置と、前記各種装置を収納可能な収納ボックスと、から構成されており、
当該収納ボックスは少なくともその２面以上に扉を有しており、かつ、必要に応じて前記各種装置から着脱可能であり、
前記各種装置を点検・整備する際にあっては、収納ボックス内に入ることなく、前記収納ボックスに設けられた扉を開口することにより、もしくは、収納ボックスを取り外すことにより、点検・整備が可能であることを特徴とする整圧設備。
【請求項２】
前記整圧設備を構成する、整圧に必要な各種装置が、緊急遮断弁、ガスフィルター、ガス加温設備、ガバナ、遮断弁、圧力逃がし装置、およびこれらをつなぐ配管、から構成されていることを特徴とする請求項１に記載の整圧設備。
【請求項３】
前記収納ボックスの内壁面には、防音部材が設置されていることを特徴とする請求項１または２に記載の整圧設備。
【発明の詳細な説明】
【技術分野】
【０００１】
本発明は、整圧設備に関する。さらに具体的には、点検・整備を容易に行うことができ省スペース化を実現可能な小型の整圧設備に関する。
【背景技術】
【０００２】
現在、例えば、都市ガスにあっては、高圧で都市ガス輸送ラインに送出され、輸送ラインに設けられたガス整圧設備によって、所定の圧力に減圧・整圧されて需要者に供給されている。
【０００３】
この場合において、現在稼働している高圧ガスのガス整圧設備のほとんどは、整圧「設備」というよりは整圧「所」と言った方が正しく、整圧に必要な各種装置を工場で別個に製作し、これを現地に搬入した上で、現地で組み立てて、これを覆う大きな建屋を建築して、一つの整圧設備としていた。
【０００４】
したがって、一つの整圧設備を設置するためには、非常に大きな設置面積が必要であり、供給者において設置場所を確保するのが困難となるケースが多かった。
【０００５】
このような問題を解決するために、現在においては整圧設備をユニット化する開発も行われている（例えば、特許文献１参照）。
【０００６】
特許文献１に開示されている整圧設備によれば、従来の整圧所に比べ設置面積を格段に小さくすることができる。
【特許文献１】特開２００１−１４１１９９
【発明の開示】
【発明が解決しようとする課題】
【０００７】
ここで、ガス整圧設備にあっては、安全面および法規面から、定期的な点検・整備をする必要がある。従って、当該ガス整圧設備内には、作業員が中に入り、各種装置等を点検・整備するために必要なスペースを確保する必要がある。
【０００８】
そうすると、前記特許文献１に開示されている整圧設備にあっても当該に、点検・整備用のスペースは確保されており、その分だけ設備全体の大きさは大きくなり、完全な小型化とは言えない。
【０００９】
つまり、ガス整圧設備の分野にあっては、必ず点検・整備用のスペースを考慮する必要があり、当該スペースの分だけ、装置全体の小型化が進まないという問題が内在していたのである。
【００１０】
本願発明はこのような状況においてなされた発明であり、点検・整備を十分に行うことができ、かつ省スペース化を実現可能な整圧設備を提供することを主たる課題とする。
【課題を解決するための手段】
【００１１】
本願発明者は上記課題を解決するために鋭意検討した結果、「点検・整備をするスペースを設備内部に設けなければならない」という従来からの常識を覆し、「設備外部から内部装置を点検・整備すること」を着想し、本願発明を想到した。
【００１２】
すなわち、上記の課題を解決するための、本発明は、上流側からのガスの圧力を調整して下流側に供給するために用いられる整圧設備であって、当該整圧設備は、整圧に必要な各種装置と、前記各種装置を収納可能な収納ボックスと、から構成されており、当該収納ボックスは少なくともその２面以上に扉を有しており、かつ、必要に応じて前記各種装置から着脱可能であり、前記各種装置を点検・整備する際にあっては、収納ボックス内に入ることなく、前記収納ボックスに設けられた扉を開口することにより、もしくは、収納ボックスを取り外すことにより、点検・整備が可能であることを特徴とする。
【００１３】
また、上記発明にあっては、前記整圧設備を構成する、整圧に必要な各種装置が、緊急遮断弁、ガスフィルター、ガス加温設備、ガバナ、遮断弁、圧力逃がし装置、およびこれらをつなぐ配管、から構成されていてもよい。
【００１４】
さらに、上記発明にあっては、前記収納ボックスの内壁面には、防音部材が設置されていてもよい。
【発明の効果】
【００１５】
本発明の整圧設備によれば、上流側からのガスの圧力を調整して下流側に供給するために用いられる整圧設備であって、当該整圧設備は、整圧に必要な各種装置と、前記各種装置を収納可能な収納ボックスと、から構成されており、当該収納ボックスは少なくとも２面以上に扉を有しており、かつ、必要に応じて前記各種装置から着脱可能であり、前記各種装置を点検・整備する際にあっては、収納ボックス内に人が入ることなく、前記収納ボックスに設けられた扉を開口することにより、もしくは、収納ボックスを取り外すことにより、点検・整備が可能であるように構成されているため、整圧設備内部から、点検・整備のためのスペースを排除することができ、その分だけ小型化が可能となる。その結果、需要者は整圧設備のためのスペースを用意することが容易となるだけでなく、当該整圧設備は工場で一体として組み立てておき、使用場所に設置するのみで使用可能となるため便利である。
【００１６】
また、前記整圧設備を構成する、整圧に必要な各種装置としては、緊急遮断弁、ガスフィルター、ガス加温設備、ガバナ、遮断弁、圧力逃がし装置、およびこれらをつなぐ配管、を挙げることができ、これらを有することにより、従来の整圧設備と同様の機能を発揮することができる。
【００１７】
さらに、前記収納ボックスの内壁面に防音部材を設置することにより、小型化された場合に生じうる騒音の問題を解消することが可能となる。
【発明を実施するための最良の形態】
【００１８】
以下に、本発明の整圧設備について、図面を用いて具体的に説明する。
【００１９】
図１は、本発明の整圧設備１００の外観斜視図である。
【００２０】
図１に示すように、本発明の整圧設備１００の外観は、一の収納ボックス２０からなっており、従来公知の簡易物置に類似している。
【００２１】
本発明の整圧設備１００を構成する収納ボックス２０は、少なくともその２面以上に扉２１を有しており（図１の収納ボックスには、扉２１は２面に設けられている。）、さらに、当該収納ボックス２０は、その土台部分、つまり収納ボックスの底面部分２２と、その他の部分、つまり収納ボックスの側面と上面部分を合わせた５つの面部分２３とが着脱自在に構成されている（例えば、ボルトなどが用いられている。）。なお、底面部分２２とその他の５つの面部分２３との着脱は、例えば、ボルトを外した上で収納ボックスの上面に設けられたフック２４を用い、クレーンなどでつり上げればよい。
【００２２】
当該収納ボックス２０内には、ガスの整圧に必要な各種装置１０（具体的には後述する）が収納されている。
【００２３】
図２は、図１に示す整圧設備１００における収納ボックス２０に設けられた扉２１を開口した際の外観図である。
【００２４】
図２に示すように、本発明の整圧設備１００によれば、ガスの整圧に必要な各種装置１０を点検・整備する際にあっては、収納ボックス２０に備えられた扉２１を開口するのみで足り、または、各種装置１０を交換等する場合にあっても、収納ボックス２０を土台部分から取り外すのみで足りる。従って、整圧設備１００の内部には、人が中に入るスペース（従来の点検・整備用スペース）を設ける必要がなく、その結果、従来よりも全体をコンパクトにすることが可能となる。
【００２５】
なお、収納ボックス２０の大きさについては、本発明は特に限定されることはないが、例えば、幅２．０〜３．５ｍ、奥行き１．５〜３．０ｍ、高さ２．０〜３．０ｍ程度とすることが可能である。
【００２６】
また、収納ボックス２０に設けられる扉２１の数や大きさ、さらには設置場所についても本発明は特に限定することはなく、収納ボックス２０内部に収納される各種装置の位置との関係や点検・整備の方法、頻度等を考慮して、適宜設計可能である。
【００２７】
また、収納ボックス２０を形成するための材質についても、本発明は特に限定することはなく、適宜選択可能である。しかしながら、収納される各種装置から生じる騒音を遮断するために、ある程度の厚さを持った鋼材により形成することが好ましい。
【００２８】
ここで、収納ボックス２０の内壁面には、防音部材２５が設置されていることが好ましい。本発明の整圧設備１００にあっては、設備全体を小型化したことにより、各種装置１０と外界との距離が小さくなるため、その分だけ従来の建屋式の整圧設備（整圧所）に比べて騒音の問題が生じる可能性がある。当該防音部材２５を設けることにより、当該問題を解決することができる。防音部材２５としては、従来公知の種々の材料を適宜選択すればよい。
【００２９】
なお、収納ボックス２０については、上記に限定されることはなく、他の設備を適宜採用することも可能である。例えば、収納される各種装置を稼働させた場合、振動が生じる場合には、当該収納ボックス２０内に振動吸収部を設けてもよい。
【００３０】
図３は、本発明の整圧設備を構成し、前述の収納ボックスに収納される、整圧に必要な各種装置を説明するための概略構成図である。
【００３１】
本発明の整圧設備１００における各種装置１０にあっては、上流側から供給されるガスを所望の圧力に調整するために必要な従来公知の種々の装置から構成されていれば良く、特に限定されることはないが、例えば、図３に示すように、緊急遮断弁１１、ガスフィルター１２、ガス加温設備１３、ガバナ１４、遮断弁１５、圧力逃がし装置１６、およびこれらをつなぐ配管１７、から構成されていてもよい。
【００３２】
これら各装置１１〜１７のそれぞれについては、特に新規なものではなく、従来公知のそれを用いればよいため、ここでの説明は省略する。
【００３３】
以上説明してきた本発明の整圧設備によれば、点検・整備のために必要であったスペースを省略した分だけ小型化でき、その結果、設置が容易となる。
【００３４】
また、本発明の整圧設備を点検・整備する場合にあっては、当該整圧設備を構成する収納ボックスに設けられた扉を開口することにより、若しくは、収納ボックス自体を取り外すことにより行うことができるため、従来と同様の点検・整備が可能となる。
【図面の簡単な説明】
【００３５】
【図１】本発明の整圧設備の外観斜視図である。
【図２】図１に示す整圧設備における収納ボックスに設けられた扉を開口した際の外観図である。
【図３】本発明の整圧設備を構成し、前述の収納ボックスに収納される、整圧に必要な各種装置を説明するための概略構成図である。
【符号の説明】
【００３６】
１００  …  整圧設備
１０  …  各種装置
２０  …  収納ボックス
【図１】
2008039062.tif 000003
【図２】
2008039062.tif 000004
【図３】
2008039062.tif 000005